(57)【特許請求の範囲】
【請求項１】
着座部となるシートクッションの前部に設定されたチルト部を該シートクッションの本体部に対して高さ方向に移動させることで該シートクッションの前部の座面角度を調整するチルト部調整機構を備えた車両用シートであって、
前記チルト部は前記シートクッションの本体部に回転可能に連結されて支持されており、該チルト部の回転中心軸は前記シートクッションの幅方向に延びる向きとされて着座者のトルソーラインの延長線と、前記シートクッションに着座者の座骨が当たる座骨点から鉛直方向に下ろした線と、が交わる位置に設定されており、
前記チルト部は、その上面部が着座者の大腿部を下方側から面で支えられるように平たく天板状に形成されており、該上面部の左右両サイドの後端下部に前記シートクッションの本体部に対する回転中心軸が設定されていることを特徴とする車両用シート。
【発明の詳細な説明】
【技術分野】
【０００１】
本発明は、車両用シートに関する。詳しくは、着座部となるシートクッションの前部に設定されたチルト部をシートクッションの本体部に対して高さ方向に移動させることでシートクッション前部の座面角度を調整するチルト部調整機構を備えた車両用シートに関する。
【背景技術】
【０００２】
従来、車両用シートにおいて、着座者の大腿部を支えるシートクッションの前部（チルト部）の高さ位置を、着座者の体格に応じて調整できるようにするチルト部調整機構が設けられているものがある。ここで、下記特許文献１には、上述したチルト部調整機構の具体的な構成が開示されている。この開示では、シートクッションの本体部に、可動部となるチルト部が、その後端側の位置で回転可能に軸支連結されて設けられている。これにより、チルト部は、その後端側の回転中心軸回りの回転運動によって、着座者の大腿部を支える高さ位置が調整されるようになっている。
【特許文献１】独国特許発明第１０２００４０３７７７０号明細書
【発明の開示】
【発明が解決しようとする課題】
【０００３】
しかし、上記開示の従来技術では、チルト部の回転に伴って、シートクッションのパッドが着座者の座圧力を受けた作用によって強い力で押し縮められるといった不具合が生じることがある。
【０００４】
本発明は、上記した問題を解決するものとして創案されたものであって、本発明が解決しようとする課題は、着座者の大腿部を支えるシートクッションの前部の高さ位置の調整を円滑に行えるようにすることにある。
【課題を解決するための手段】
【０００５】
上記課題を解決するために、本発明の車両用シートは次の手段をとる。
先ず、第１の発明は、着座部となるシートクッションの前部に設定されたチルト部をシートクッションの本体部に対して高さ方向に移動させることでシートクッション前部の座面角度を調整するチルト部調整機構を備えた車両用シートである。チルト部は、シートクッションの本体部に回転可能に連結されて支持されている。チルト部の回転中心軸は、シートクッションの幅方向に延びる向きとされて、着座者のトルソーラインの延長線上の位置に配置されている。
【０００６】
この第１の発明によれば、チルト部の回転中心軸は、トルソーラインの延長線上の位置に配置されることにより、着座者の大腿部の付け根のあたりに配置設定される。これにより、チルト部を、大腿部が付け根まわりに回転する運動態様に即して回転運動させることができる。したがって、チルト部が上下に回転移動しても、チルト部によって大腿部を常に同じ支持態様で下方側から支えられるようにすることができる。これにより、シートクッションの前部の高さ位置の調整を円滑に行えるようにすることができる。
【０００７】
次に、第２の発明は、上述した第１の発明において、チルト部の回転中心軸は、着座者のトルソーラインの延長線と、シートクッションに着座者の座骨が当たる座骨点から鉛直方向に下ろした線と、が交わる位置に設定されている。
ここで、座骨は、乗員がシートクッションに着座した時に、パッドに最も強い座圧をかける部位とされている。
この第２の発明によれば、シートクッションに座圧が最も強くかかる部位の直下にチルト部の回転中心軸が設定されることにより、チルト部の回転時に、他の座圧のかかる部位との間にパッドを強く押し縮めるような大きな負荷がかかり難くなる。これにより、シートクッションの表皮に皺をよらせることなく、チルト部の回転運動を行わせることができる。
【発明を実施するための最良の形態】
【０００８】
以下に、本発明を実施するための最良の形態の実施例について図面を用いて説明する。
【実施例１】
【０００９】
始めに、実施例１の車両用シートの構成について図１〜図６を用いて説明する。ここで、図１には、本実施例の車両用シートの概略構成が側面図によって示されている。この車両用シートは、シート本体１が、背凭れとなるシートバック２と、着座部となるシートクッション３と、を備えて構成されている。ここで、シートバック２は、その骨格を成すバックフレーム２ｆが、その両サイドの下端部において、リクライニング装置４を介してシートクッション３の骨格をなすクッションフレーム３ｆの後端部とそれぞれ連結されている。
【００１０】
これにより、シートバック２は、リクライニング装置４を作動させることによって、シートクッション３に対する背凭れ角度の調整操作を行えるようになっている。そして、シートクッション３は、その骨格を成すクッションフレーム３ｆが、後述するスライダ装置６のアッパレール６ａの上に設置されたブラケット３ｂに対して、昇降装置５を介して連結されている。この昇降装置５は、クッションフレーム３ｆとブラケット３ｂとをそれらの前後側の位置でそれぞれリンク連結するフロントリンク５ｆとリアリンク５ｒとを備えて構成されている。
【００１１】
これらフロントリンク５ｆやリアリンク５ｒは、左右一対で構成されており、その同期した起倒回転に伴って、クッションフレーム３ｆをブラケット３ｂに対して昇降運動させる四節リンク機構を構成している。そして、このブラケット３ｂの下面部には、シート本体１の着座位置を車両前後方向に調整可能にするスライダ装置６が設けられている。このスライダ装置６は、フロア上に設置された車両前後方向に延びるロアレール６ｂと、このロアレール６ｂに対してレールの延びる方向にスライド可能に嵌め込まれたアッパレール６ａとを備えて構成されている。
【００１２】
そして、このアッパレール６ａの上面部には、上述したブラケット３ｂが一体的に設置されている。これにより、アッパレール６ａをスライドさせる移動によって、シート本体１を車両前後方向に移動させられるようになっている。そして、上述したシートクッション３の前部には、クッションフレーム３ｆに対する高さ位置を変えられる構成とされたチルトパネル３ｔが配設されている。ここで、クッションフレーム３ｆが本発明の本体部に相当し、チルトパネル３ｔが本発明のチルト部に相当する。
【００１３】
このチルトパネル３ｔは、着座者の大腿部を下方側から面で支えられるように上面部が平たく天板状に形成されている。そして、チルトパネル３ｔは、その左右両サイドの後端部が、連結軸ｔｒによって、クッションフレーム３ｆに回転可能に軸支連結されている。これにより、チルトパネル３ｔは、その後端の連結軸ｔｒを中心とした回転運動によって、クッションフレーム３ｆに対する高さ位置を変えられるようになっている。
【００１４】
このチルトパネル３ｔの高さ位置の調整は、クッションフレーム３ｆに設けられたピニオンギア７の駆動回転によるセクターギア８の回転移動に伴って行われるようになっている。ここで、ピニオンギア７が本発明の小ギアに相当し、セクターギア８が本発明の大ギアに相当する。このピニオンギア７は、連結軸７ｒによってクッションフレーム３ｆに回転可能に軸支連結されている。そして、ピニオンギア７は、クッションフレーム３ｆに設置された電動モータ９と連結されており、電動モータ９からの動力伝達を受けて駆動回転するようになっている。
【００１５】
そして、セクターギア８は、ピニオンギア７の前方側（図示左方側）の位置で、連結軸８ｒによってクッションフレーム３ｆに回転可能に軸支連結されている。これにより、セクターギア８は、その連結軸８ｒの後方側（図示右方側）に向けて延び出した噛合部８ａの外周面に形成された外歯を、ピニオンギア７の外歯に噛合させた状態として設けられている。なお、上述した各ギア７，８の連結軸７ｒ，８ｒは、互いに平行にシート本体１の幅方向に水平に向けられて配設されている。
【００１６】
そして、セクターギア８は、その連結軸８ｒの前方側（図示左方側）に向けて延び出した腕部８ｂが、連結ピンｂｐによってチルトパネル３ｔに回転可能に軸支連結されている。ここで、連結ピンｂｐは、チルトパネル３ｔに対して、前後方向（図示左右方向）に長尺な形状に貫通形成された長孔ｔｈ内にスライド可能に嵌め込まれて設けられている。これにより、チルトパネル３ｔは、セクターギア８がピニオンギア７からの動力伝達を受けて図１に示される基準回転位置から図示時計回り方向（図３参照）或いは反時計回り方向（図４参照）に回転する動きを受けて、上方側或いは下方側に移動操作されるようになっている。
【００１７】
このとき、チルトパネル３ｔの回転運動は、連結ピンｂｐが長孔ｔｈの内部を前後方向にスライドする動きによって、セクターギア８の回転に伴う連結ピンｂｐとチルトパネル３ｔとの間の水平方向の変位量の差異が吸収されることで許容されるようになっている。ここで、セクターギア８の噛合部８ａは、上述したチルトパネル３ｔの移動操作のためにピニオンギア７と噛合し得る噛合領域外では、その形状が高さ方向に張り出し過ぎないように、扇形状に切除された形状に形成されている。
【００１８】
これにより、セクターギア８は、図３〜図４に示されるように、その回転移動時に、ブラケット３ｂやチルトパネル３ｔ等の他の構成部材と干渉しないように形成されている。なお、セクターギア８が、例えばその必要とされる回転領域内でブラケット３ｂと干渉する配置関係となってしまう場合には、ブラケット３ｂを部分的に肉抜きして、セクターギア８の回転領域を拡張するようにしてもよい。
【００１９】
ここで、図１に戻って、上述したチルトパネル３ｔの回転中心である連結軸ｔｒの配置は、次のように設定されている。すなわち、連結軸ｔｒは、乗員がシート本体１に着座した時のヒップポイントＨｐを通る胴体部の中心線（トルソーラインＴ）上の位置に設定されている。より詳しくは、図２に示されるように、連結軸ｔｒは、乗員の座骨がシートクッション３のパッド３ｐに当たる座骨点Ｂから鉛直方向に下ろした線と、上述したトルソーラインＴとが交わる位置に設定されている。
【００２０】
ここで、座骨は、乗員がシートクッション３に着座した時に、パッド３ｐに最も強い座圧をかける部位とされている。したがって、このように座圧が最も強くかかる部位（座骨点Ｂ）の直下にチルトパネル３ｔの回転中心（連結軸ｔｒ）が設定されることにより、チルトパネル３ｔの回転時に、他の座圧のかかる部位との間にパッド３ｐを強く押し縮めるような大きな負荷がかかり難くなる。これにより、シートクッション３の表皮に皺をよらせることなく、チルトパネル３ｔの回転操作が行えるようになっている。
【００２１】
そして、上述した配置設定により、チルトパネル３ｔの回転中心（連結軸ｔｒ）が大腿部の付け根のあたりに設定されることから、チルトパネル３ｔを、大腿部が付け根まわりに回転する運動態様に即して回転運動させることができる。これにより、チルトパネル３ｔが上下に回転移動しても、その天板面によって、大腿部を常に同じ支持態様で下方側から支えられるようになっている。そして、このチルトパネル３ｔの高さ位置の調整操作を行うことにより、着座者の大腿部を支えるシートクッション３の前部の高さ位置を、着座者の体格に応じた高さ位置に合わせることができる。このとき、チルトパネル３ｔは、上下に回転移動しても、大腿部に対する傾き姿勢の変化が急激的とならないため、安定した着座感を保ったまま高さ方向の移動を行うことができる。
【００２２】
ここで、図１に戻って、前述したピニオンギア７とセクターギア８とは、互いの回転中心（連結軸７ｒ，８ｒ）が高さ方向にずれた配置となっている。具体的には、図５に示されるように、ピニオンギアの連結軸７ｒが、セクターギア８の連結軸８ｒよりも高い位置に設定されている。これにより、例えば図６に示されるように互いの回転中心が同じ高さ位置に設定されている構成と比べると、セクターギア８が基準位置（図１の状態位置）から双方向に回転する時の高さ方向の移動量ｈ（図５参照）が、図６の構成における高さ方向の移動量Ｈよりも抑えられている。
【００２３】
また、図１に戻って、前述したチルトパネル３ｔは、セクターギア８の噛合部８ａとは反対側に延びる腕部８ｂに対して連結されている。これにより、上述したようにセクターギア８の高さ方向の移動量が抑えられていても、セクターギア８の高さ方向の形状を増大させることなく、チルトパネル３ｔを高さ方向に大きく移動操作できるようになっている。
【００２４】
以上、本発明の実施形態を一つの実施例を用いて説明したが、本発明は上記実施例のほか各種の形態で実施できるものである。例えば、チルトパネル（チルト部）は、別途に配設されたリンク部材によってセクターギア（大ギア）の腕部にリンク連結されていてもよい。これにより、セクターギアの回転移動時におけるチルトパネルとの間の水平方向の変位量の差異を、リンク部材のリンク運動によって吸収させることができる。
【図面の簡単な説明】
【００２５】
【図１】実施例１の車両用シートの概略構成を表した側面図である。
【図２】チルトパネルの回転中心の設定位置を詳しく示した模式図である。
【図３】チルトパネルが上方側に移動操作された状態を表した側面図である。
【図４】チルトパネルが下方側に移動操作された状態を表した側面図である。
【図５】セクターギアの高さ方向の移動量を表した模式図である。
【図６】セクターギアとピニオンギアの回転中心の高さ位置が揃っている場合のセクターギアの高さ方向の移動量を表した模式図である。
【符号の説明】
【００２６】
１      シート本体
２      シートバック
２ｆ    バックフレーム
３      シートクッション
３ｆ    クッションフレーム（本体部）
３ｐ    パッド
３ｔ    チルトパネル（チルト部）
ｔｒ    連結軸
ｔｈ    長孔
３ｂ    ブラケット
４      リクライニング装置
５      昇降装置
５ｆ    フロントリンク
５ｒ    リアリンク
６      スライダ装置
６ａ    アッパレール
６ｂ    ロアレール
７      ピニオンギア
７ｒ    連結軸
８      セクターギア
８ｒ    連結軸
８ａ    噛合部
８ｂ    腕部
ｂｐ    連結ピン
９      電動モータ
Ｈｐ    ヒップポイント
Ｔ      トルソーライン
Ｂ      座骨点
【図１】
0005239390.tif 000002
【図２】
0005239390.tif 000003
【図３】
0005239390.tif 000004
【図４】
0005239390.tif 000005
【図５】
0005239390.tif 000006
【図６】
0005239390.tif 000007